【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
光電変換素子と、前記光電変換素子で光電変換された電荷信号を蓄積するフローティングディフュージョン（ＦＤ）部と、前記光電変換素子で光電変換された電荷信号を前記ＦＤ部に転送する読み出しトランジスタと、前記ＦＤ部の電位を検出する画素アンプと、前記ＦＤ部の電位を所定の電位に初期化するリセットトランジスタとを有する光電変換セルが行列状に複数配置され、全ての光電変換セルに共通する前記所定の電位を供給する電源供給部を有する固体撮像装置を駆動する方法であって、
前記電源供給部の電圧が「Ｈｉｇｈ」レベルの期間内に、前記リセットトランジスタをオンして、前記ＦＤ部の電位を前記所定の電位に初期化させた後に、前記リセットトランジスタをオフし、その後、前記読み出しトランジスタを介して前記光電変換素子で光電変換された電荷信号を前記ＦＤ部に転送し、
前記電源供給部の電圧が「Ｌｏｗ」レベルの状態で、前記リセットトランジスタを「Ｈｉｇｈ」にした後に、前記リセットトランジスタを「Ｌｏｗ」にし、前記光電変換セルを非選択状態に戻すことを特徴とする固体撮像装置の駆動方法。
【請求項２】
前記電源供給部の電圧が「Ｈｉｇｈ」レベルの期間内において、
前記リセットトランジスタがオン状態での前記ＦＤ部の電位をリセットレベルとして前記画素アンプで検出し、
前記リセットトランジスタがオフ状態でかつ前記読み出しトランジスタがオン状態での前記ＦＤ部の電位を蓄積信号レベルとして前記画素アンプで検出し、
前記リセットレベルと前記蓄積信号レベルの差を検出することを特徴とする請求項１記載の固体撮像装置の駆動方法。
【請求項３】
前記固体撮像装置は、前記画素アンプの出力信号線を一定に設定するためのロードトランジスタをさらに有し、
前記電源供給部の電圧が「Ｈｉｇｈ」レベルの期間内において、
前記ロードトランジスタと前記リセットトランジスタをオンして、次に前記ロードトランジスタと前記リセットトランジスタをオフして、前記ＦＤ部の電位を信号のない基準レベルとして前記画素アンプで検出する工程と、
前記ロードトランジスタと前記読み出しトランジスタをオンして、次に前記ロードトランジスタと前記読み出しトランジスタをオフして、前記ＦＤ部の電位を蓄積信号レベルとして前記画素アンプで検出する工程とを含むことを特徴とする請求項１記載の固体撮像装置の駆動方法。
【請求項４】
前記固体撮像装置は、前記画素アンプの出力信号線を一定に設定するためのロードトランジスタをさらに有し、
前記電源供給部の電圧が「Ｈｉｇｈ」レベルの期間内において、
前記ロードトランジスタと前記リセットトランジスタをオンして、先に前記リセットトランジスタをオフした後に前記ロードトランジスタをオフして、前記ＦＤ部の電位を信号のない基準レベルとして前記画素アンプで検出し、
次に、前記ロードトランジスタと前記読み出しトランジスタをオンして、次に前記読み出しトランジスタをオフした後に前記ロードトランジスタをオフして、前記ＦＤ部の電位を蓄積信号レベルとして前記画素アンプで検出することを特徴とする請求項１記載の固体撮像装置の駆動方法。
【請求項５】
前記固体撮像装置は、前記画素アンプの出力信号線を一定に設定するためのロードトランジスタをさらに有し、
前記ロードトランジスタに所定の一定電圧を印加して前記ロードトランジスタをオン状態に固定し、
前記電源供給部の電圧が「Ｈｉｇｈ」レベルの期間内において、
前記リセットトランジスタをオンして、前記ＦＤ部の電位をリセットレベルとして前記画素アンプで検出し、
前記リセットトランジスタをオフし、次に前記読み出しトランジスタをオンして、前記ＦＤ部の電位を蓄積信号レベルとして前記画素アンプで検出し、
前記読み出しトランジスタをオフすることを特徴とする請求項１記載の固体撮像装置の駆動方法。
【請求項６】
前記固体撮像装置は、前記画素アンプの出力信号線を一定に設定するためのロードトランジスタをさらに有し、
前記電源供給部の電圧が「Ｈｉｇｈ」レベルの期間内において、
前記ロードトランジスタをオフ状態にしたまま前記リセットトランジスタをオン／オフし、次に前記読み出しトランジスタをオン／オフして前記光電変換素子をリセット状態にし、
前記電源供給部の電圧を「Ｈｉｇｈ」レベルから「Ｌｏｗ」レベルにして、前記ロードトランジスタをオフ状態にしたまま前記リセットトランジスタをオン／オフし、前記光電変換セルを非選択状態にすることを特徴とする請求項１記載の固体撮像装置の駆動方法。
【請求項７】
光電変換素子と、前記光電変換素子で光電変換された電荷信号を蓄積するフローティングディフュージョン（ＦＤ）部と、前記光電変換素子で光電変換された電荷信号を前記ＦＤ部に転送する読み出しトランジスタと、前記ＦＤ部の電位を検出する画素アンプと、前記ＦＤ部の電位を所定の電位に初期化するリセットトランジスタとを有する光電変換セルが行列状に複数配置された固体撮像装置であって、
全ての光電変換セルに共通する前記所定の電位を供給する電源供給部を有し、
前記電源供給部の電圧が「Ｈｉｇｈ」レベルの期間内に、前記リセットトランジスタをオンして、前記ＦＤ部の電位を前記所定の電位に初期化させた後に、前記リセットトランジスタをオフし、
前記電源供給部の電圧が「Ｌｏｗ」レベルの状態で、前記リセットトランジスタを「Ｈｉｇｈ」にした後に、前記リセットトランジスタを「Ｌｏｗ」にし、前記光電変換セルを非選択状態に戻すことを特徴とする固体撮像装置。
【手続補正２】
【補正対象書類名】明細書
【補正対象項目名】０００５
【補正方法】変更
【補正の内容】
【０００５】
【課題を解決するための手段】
前記の目的を達成するため、本発明に係る固体撮像装置の駆動方法は、光電変換素子と、光電変換素子で光電変換された電荷信号を蓄積するフローティングディフュージョン（ＦＤ）部と、光電変換素子で光電変換された電荷信号をＦＤ部に転送する読み出しトランジスタと、ＦＤ部の電位を検出する画素アンプと、ＦＤ部の電位を所定の電位に初期化するリセットトランジスタとを有する光電変換セルが行列状に複数配置され、全ての光電変換セルに共通する所定の電位を供給する電源供給部を有する固体撮像装置を駆動する方法であって、電源供給部の電圧が「Ｈｉｇｈ」レベルの期間内に、リセットトランジスタをオンして、ＦＤ部の電位を所定の電位に初期化させた後に、リセットトランジスタをオフし、その後、読み出しトランジスタを介して光電変換素子で光電変換された電荷信号をＦＤ部に転送し、電源供給部の電圧が「Ｌｏｗ」レベルの状態で、リセットトランジスタを「Ｈｉｇｈ」にした後に、リセットトランジスタを「Ｌｏｗ」にし、光電変換セルを非選択状態に戻すことを特徴とする。
【手続補正３】
【補正対象書類名】明細書
【補正対象項目名】０００７
【補正方法】変更
【補正の内容】
【０００７】
本発明に係る固体撮像装置の駆動方法においては、電源供給部の電圧が「Ｈｉｇｈ」レベルの期間内おいて、リセットトランジスタがオン状態でのＦＤ部の電位をリセットレベルとして画素アンプで検出し、リセットトランジスタがオフ状態でかつ読み出しトランジスタがオン状態でのＦＤ部の電位を蓄積信号レベルとして画素アンプで検出し、リセットレベルと蓄積信号レベルの差を検出することを特徴とする。
【手続補正４】
【補正対象書類名】明細書
【補正対象項目名】０００９
【補正方法】変更
【補正の内容】
【０００９】
本発明に係る固体撮像装置の駆動方法においては、固体撮像装置は、画素アンプの出力信号線を一定に設定するためのロードトランジスタをさらに有し、電源供給部の電圧が「Ｈｉｇｈ」レベルの期間内において、ロードトランジスタとリセットトランジスタをオンして、次にロードトランジスタとリセットトランジスタをオフして、ＦＤ部の電位を信号のない基準レベルとして画素アンプで検出する工程と、ロードトランジスタと読み出しトランジスタをオンして、次にロードトランジスタと読み出しトランジスタをオフして、ＦＤ部の電位を蓄積信号レベルとして画素アンプで検出する工程とを含むことを特徴とする。
【手続補正５】
【補正対象書類名】明細書
【補正対象項目名】００１１
【補正方法】変更
【補正の内容】
【００１１】
本発明に係る固体撮像装置の駆動方法においては、固体撮像装置は、画素アンプの出力信号線を一定に設定するためのロードトランジスタをさらに有し、電源供給部の電圧が「Ｈｉｇｈ」レベルの期間内において、ロードトランジスタとリセットトランジスタをオンして、先にリセットトランジスタをオフした後にロードトランジスタをオフして、ＦＤ部の電位を信号のない基準レベルとして画素アンプで検出し、次に、ロードトランジスタと読み出しトランジスタをオンして、次に読み出しトランジスタをオフした後にロードトランジスタをオフして、ＦＤ部の電位を蓄積信号レベルとして画素アンプで検出することを特徴とする。
【手続補正６】
【補正対象書類名】明細書
【補正対象項目名】００１３
【補正方法】変更
【補正の内容】
【００１３】
本発明に係る固体撮像装置の駆動方法においては、固体撮像装置は、画素アンプの出力信号線を一定に設定するためのロードトランジスタをさらに有し、ロードトランジスタに所定の一定電圧を印加してロードトランジスタをオン状態に固定し、電源供給部の電圧が「Ｈｉｇｈ」レベルの期間内において、リセットトランジスタをオンして、ＦＤ部の電位をリセットレベルとして前記画素アンプで検出し、リセットトランジスタをオフし、次に読み出しトランジスタをオンして、ＦＤ部の電位を蓄積信号レベルとして画素アンプで検出し、読み出しトランジスタをオフすることを特徴とする。
【手続補正７】
【補正対象書類名】明細書
【補正対象項目名】００１５
【補正方法】変更
【補正の内容】
【００１５】
本発明に係る固体撮像装置の駆動方法においては、固体撮像装置は、画素アンプの出力信号線を一定に設定するためのロードトランジスタをさらに有し、電源供給部の電圧が「Ｈｉｇｈ」レベルの期間内において、ロードトランジスタをオフ状態にしたままリセットトランジスタをオン／オフし、次に読み出しトランジスタをオン／オフして光電変換素子をリセット状態にし、電源供給部の電圧を「Ｈｉｇｈ」レベルから「Ｌｏｗ」レベルにして、ロードトランジスタをオフ状態にしたままリセットトランジスタをオン／オフし、光電変換セルを非選択状態にすることを特徴とする。
【手続補正８】
【補正対象書類名】明細書
【補正対象項目名】００１６
【補正方法】変更
【補正の内容】
【００１６】
この構成によれば、画素アンプは電位検出することなく、光電変換素子のみリセット状態にすることができ、電子シャッター機能を実現することができる。
また、前記の目的を達成するため、本発明に係る固体撮像装置は、光電変換素子と、光電変換素子で光電変換された電荷信号を蓄積するフローティングディフュージョン（ＦＤ）部と、光電変換素子で光電変換された電荷信号をＦＤ部に転送する読み出しトランジスタと、ＦＤ部の電位を検出する画素アンプと、ＦＤ部の電位を所定の電位に初期化するリセットトランジスタとを有する光電変換セルが行列状に複数配置された固体撮像装置であって、全ての光電変換セルに共通する所定の電位を供給する電源供給部を有し、電源供給部の電圧が「Ｈｉｇｈ」レベルの期間内に、リセットトランジスタをオンして、ＦＤ部の電位を所定の電位に初期化させた後に、リセットトランジスタをオフし、電源供給部の電圧が「Ｌｏｗ」レベルの状態で、リセットトランジスタを「Ｈｉｇｈ」にした後に、リセットトランジスタを「Ｌｏｗ」にし、光電変換セルを非選択状態に戻すことを特徴とする。